(57)【特許請求の範囲】
【請求項１】
映像信号に画質パラメータに応じた信号処理を施す映像信号処理手段と、
音声信号に音質パラメータに応じた信号処理を施す音声信号処理手段と、
前記映像信号処理手段及び前記音声信号処理手段から出力された映像信号及び音声信号を、複数種類の記録媒体に選択的または同時に記録する記録手段と、
前記画質パラメータと前記音質パラメータとの組み合わせを、前記画質パラメータと前記音質パラメータとを加算した値が、所定のビットレート以下となる範囲内において複数組登録する登録手段と、
この登録手段で登録された複数組の前記画質パラメータと前記音質パラメータとの組み合わせと、予め登録されており前記画質パラメータと前記音質パラメータとが固定であり変更不可能な前記画質パラメータと前記音質パラメータとの組み合わせとの中から、前記複数種類の記録媒体毎にそれぞれ前記映像信号及び前記音声信号を記録するときの１つの組み合わせを記憶媒体に記憶する記憶制御手段と、
前記記録手段が前記映像信号及び前記音声信号を記録開始するとき、この記録を行う前記記録媒体に応じて設定された前記１つの組み合わせを前記記憶媒体から読み出し、この読み出した前記１つの組み合わせの前記画質パラメータと前記音質パラメータを選択して、前記映像信号処理手段及び前記音声信号処理手段の信号処理に供させる選択手段とを具備したことを特徴とする情報記録装置。
【請求項２】
前記複数種類の記録媒体は、光ディスク及びハードディスクであることを特徴とする請求項１記載の情報記録装置。
【請求項３】
映像信号に画質パラメータに応じた信号処理を施す映像信号処理工程と、
音声信号に音質パラメータに応じた信号処理を施す音声信号処理工程と、
前記映像信号処理工程及び前記音声信号処理工程から出力された映像信号及び音声信号を、複数種類の記録媒体に選択的または同時に記録する記録工程と、
前記画質パラメータと前記音質パラメータとの組み合わせを、前記画質パラメータと前記音質パラメータとを加算した値が、所定のビットレート以下となる範囲内において複数組登録する登録工程と、
この登録工程で登録された複数組の前記画質パラメータと前記音質パラメータとの組み合わせと、予め登録されており前記画質パラメータと前記音質パラメータとが固定であり変更不可能な前記画質パラメータと前記音質パラメータとの組み合わせとの中から、前記複数種類の記録媒体毎にそれぞれ前記映像信号及び前記音声信号を記録するときの１つの組み合わせを記憶媒体に記憶する工程と、
前記記録工程で前記映像信号及び前記音声信号を記録開始するとき、この記録を行う前記記録媒体に応じて設定された前記１つの組み合わせを前記記憶媒体から読み出し、この読み出した前記１つの組み合わせの前記画質パラメータと前記音質パラメータを選択して、前記映像信号処理工程及び前記音声信号処理工程の信号処理に供させる選択工程とを具備したことを特徴とする情報記録方法。
【請求項４】
前記複数種類の記録媒体は、光ディスク及びハードディスクであることを特徴とする請求項３記載の情報記録方法。
【発明の詳細な説明】
【０００１】
【発明の属する技術分野】
この発明は、画像や音声等の情報をそれぞれ圧縮して記録する情報記録装置及び情報記録方法の改良に関する。
【０００２】
【従来の技術】
周知のように、ＤＶＤ（Digital Versatile Disk）やＨＤＤ（Hard Disk Drive）を利用した録画再生装置にあっては、映像信号や音声信号に圧縮処理を施して記録するようにしている。そして、この種の録画再生装置では、ユーザが、映像信号や音声信号に対する圧縮率を指定することができる。
【０００３】
一般に、圧縮率を低く設定すると、画質や音質は向上するが、単位時間当たりのデータ量は増加する。このため、ユーザは、画質や音質とデータ量とを考慮して圧縮率を指定することになる。例えば音楽番組では、高音質が望まれるので、音声信号に対する圧縮率が低くなるように指定される。
【０００４】
また、ＭＰＥＧ（Moving Picture Image Coding Experts Group）２方式のように、フレーム間の相関を利用した映像信号の圧縮方式においては、スポーツ番組のように動きの激しい場面が多い番組に対しては、映像信号の圧縮率が低くなるように指定した方が、画質を向上させることができる。
【０００５】
【発明が解決しようとする課題】
しかしながら、上記のような従来の録画再生装置では、番組を録画する毎に、その番組の内容に応じて、映像信号に対する圧縮率と音声信号に対する圧縮率とを指定する必要があるので操作が煩雑になり、ユーザにとって取り扱いが不便であるという問題が生じている。
【０００６】
そこで、この発明は上記事情を考慮してなされたもので、簡易な操作で、録画する番組内容に応じた画質パラメータと音質パラメータとの設定を可能とし、ユーザにとっての取り扱いを便利にするようにした極めて良好な情報記録装置及び情報記録方法を提供することを目的とする。
【０００７】
【課題を解決するための手段】
この発明に係る情報記録装置は、映像信号に画質パラメータに応じた信号処理を施す映像信号処理手段と、音声信号に音質パラメータに応じた信号処理を施す音声信号処理手段と、前記映像信号処理手段及び前記音声信号処理手段から出力された映像信号及び音声信号を、複数種類の記録媒体に選択的または同時に記録する記録手段と、前記画質パラメータと前記音質パラメータとの組み合わせを、前記画質パラメータと前記音質パラメータとを加算した値が、所定のビットレート以下となる範囲内において複数組登録する登録手段と、この登録手段で登録された複数組の前記画質パラメータと前記音質パラメータとの組み合わせと、予め登録されており前記画質パラメータと前記音質パラメータとが固定であり変更不可能な前記画質パラメータと前記音質パラメータとの組み合わせとの中から、前記複数種類の記録媒体毎にそれぞれ前記映像信号及び前記音声信号を記録するときの１つの組み合わせを記憶媒体に記憶する記憶制御手段と、前記記録手段が前記映像信号及び前記音声信号を記録開始するとき、この記録を行う前記記録媒体に応じて設定された前記１つの組み合わせを前記記憶媒体から読み出し、この読み出した前記１つの組み合わせの前記画質パラメータと前記音質パラメータを選択して、前記映像信号処理手段及び前記音声信号処理手段の信号処理に供させる選択手段とを備えるようにしたものである。
【０００８】
また、この発明に係る情報記録方法は、映像信号に画質パラメータに応じた信号処理を施す映像信号処理工程と、音声信号に音質パラメータに応じた信号処理を施す音声信号処理工程と、前記映像信号処理工程及び前記音声信号処理工程から出力された映像信号及び音声信号を、複数種類の記録媒体に選択的または同時に記録する記録工程と、前記画質パラメータと前記音質パラメータとの組み合わせを、前記画質パラメータと前記音質パラメータとを加算した値が、所定のビットレート以下となる範囲内において複数組登録する登録工程と、この登録工程で登録された複数組の前記画質パラメータと前記音質パラメータとの組み合わせと、予め登録されており前記画質パラメータと前記音質パラメータとが固定であり変更不可能な前記画質パラメータと前記音質パラメータとの組み合わせとの中から、前記複数種類の記録媒体毎にそれぞれ前記映像信号及び前記音声信号を記録するときの１つの組み合わせを記憶媒体に記憶する工程と、前記記録工程で前記映像信号及び前記音声信号を記録開始するとき、この記録を行う前記記録媒体に応じて設定された前記１つの組み合わせを前記記憶媒体から読み出し、この読み出した前記１つの組み合わせの前記画質パラメータと前記音質パラメータを選択して、前記映像信号処理工程及び前記音声信号処理工程の信号処理に供させる選択工程とを備えるようにしたものである。
【０００９】
上記のような構成及び方法によれば、画質パラメータに応じた信号処理が施された映像信号と、音質パラメータに応じた信号処理が施された音声信号とを、複数種類の記録媒体に選択的または同時に記録する際に、予め登録された複数の画質パラメータと音質パラメータとの組み合わせの中から、複数種類の記録媒体毎にそれぞれ組み合わせを選択して、映像信号及び音声信号に対する信号処理に供させるようにしたので、簡易な操作で、録画する番組内容に応じた画質パラメータと音質パラメータとの設定が可能となり、ユーザにとっての取り扱いを便利にすることができる。
【００１０】
【発明の実施の形態】
以下、この発明の実施の形態について、図面を参照して詳細に説明する。図１は、この実施の形態で説明する録画再生装置を示している。まず、映像信号は、映像入力回路１１を介して映像圧縮装置１２で圧縮処理される。また、音声信号は、音声入力回路１３を介して音声圧縮装置１４で圧縮処理される。
【００１１】
映像圧縮装置１２で圧縮された映像信号と、音声圧縮装置１４で圧縮された音声信号とは、合成装置１５によって合成され、データ転送回路１６を介して、ＤＶＤ等の光ディスク１７及びハードディスク１８に、選択的または同時に記録される。
【００１２】
一方、光ディスク１７に記録された信号及びハードディスク１８に記録された信号は、それぞれ選択的に読み出される。この光ディスク１７及びハードディスク１８から選択的に読み出された信号は、データ転送装置１６を介して分離装置１９に供給され、映像信号と音声信号とに分離される。
【００１３】
分離された映像信号は、映像復号装置２０で伸長処理された後、映像出力回路２１を介して図示しないモニタによる映像表示に供される。また、分離された音声信号は、音声復号装置２２で伸長処理された後、音声出力回路２３を介して図示しないスピーカによる音声再生に供される。
【００１４】
ここで、例えば光ディスク１７から読み出して映像出力回路２１及び音声出力回路２３から出力された映像信号及び音声信号を、映像入力回路１１及び音声入力回路１３に入力し、ハードディスク１８に記録させることにより、光ディスク１７からハードディスク１８へのダビングを行なうことができる。
【００１５】
また、逆に、ハードディスク１８から読み出して映像出力回路２１及び音声出力回路２３から出力された映像信号及び音声信号を、映像入力回路１１及び音声入力回路１３に入力し、光ディスク１７に記録させることにより、ハードディスク１８から光ディスク１７へのダビングを行なうこともできる。
【００１６】
上記のような一連の動作は、マイクロコンピュータ２４によって統括的に制御されている。このマイクロコンピュータ２４は、キーボード２５及びリモートコントローラ２６からの操作情報を受けて、録画再生装置の各部の動作を制御している。
【００１７】
また、このマイクロコンピュータ２４にはメモリ２７が接続されている。このメモリ２７は、マイクロコンピュータ２４に対する制御プログラムを格納するための機能と、マイクロコンピュータ２４のワークメモリとしての機能と、種々の設定値を保持するための機能とを有している。
【００１８】
ここで、ユーザは、キーボード２５またはリモートコントローラ２６を操作することによって、予め、録画を行なう際の画質パラメータ（圧縮率）と音質パラメータ（圧縮率）との組み合わせを複数組設定し、メモリ２７にパラメータテーブルとして登録しておくことができる。
【００１９】
図２は、このパラメータテーブルの一例を示している。このパラメータテーブルは、５種類の組番号１〜５が用意されており、各組番号１〜５毎にそれぞれ、モード、画質パラメータ、音質パラメータ及び組名称とをユーザが入力して登録可能となっている。
【００２０】
モードは、ＳＰ（Standard Position），ＬＰ（Long Position），ＭＰ（Manual Position）の３種類がある。ＳＰモードでは、画質パラメータが４．６Mbps（Mega bit per second）に固定される。ＬＰモードでは、画質パラメータが２．２Mbpsに固定される。ＭＰモードでは、画質パラメータが、２．０〜９．２Mbpsの範囲で０．２Mbpsづつ可変可能となる。
【００２１】
画質パラメータの欄には、モードがＳＰのとき４．６Mbpsが表示され、モードがＬＰのとき２．２Mbpsが表示され、モードがＭＰのときユーザが２．０〜９．２Mbpsの範囲で設定した値が表示される。
【００２２】
音質パラメータは、ＡＣ（Audio Compression）−３（１９２kbps），ＡＣ−３（１２８kbps），リニアＰＣＭ（Pulse Code Modulation）の３種類がある。ＡＣ−３（１２８kbps）のときには、画質パラメータを２．０〜９．２Mbpsの範囲内で設定することができる。
【００２３】
ただし、音質パラメータをＡＣ−３（１９２kbps）に設定した場合には、画質パラメータは、２．０〜９．０Mbpsの範囲内で設定可能となる。また、音質パラメータをリニアＰＣＭに設定した場合には、画質パラメータは、２．０〜８．４Mbpsの範囲内で設定可能となる。要するに、画質パラメータと音質パラメータとを加算した値が、１０Mbps以下となるように制御されている。
【００２４】
組名称は、ユーザが設定した画質パラメータと音質パラメータとの組に、自分でわかりやすいように自由な名称を付けたものである。図２に示した例では、組番号１に対して「映画用」、組番号２に対して「音楽用」、組番号３に対して「ニュース用」という名称を付けている。
【００２５】
このため、ユーザは、番組を録画する前に、キーボード２５またはリモートコントローラ２６を操作して、図２に示したパラメータテーブルをモニタに表示させる。そして、録画しようとする番組が映画であれば、組名称の「映画用」を選択操作する。
【００２６】
これにより、マイクロコンピュータ２４は、パラメータテーブルから組番号１の画質パラメータ４．６Mbps、音質パラメータＡＣ−３（１９２kbps）を読み取り、画質パラメータを映像圧縮装置１２にセットするとともに、音質パラメータを音声圧縮装置１４にセットして、番組の録画が行なわれる。
【００２７】
また、このような画質パラメータと音質パラメータとの組の選択は、番組を録画する媒体が光ディスク１７であるかハードディスク１８であるかに応じて、それぞれ別個に設定することもできる。例えば光ディスク１７への録画に対しては組番号１を選択し、ハードディスク１８への録画に対しては組番号２を選択するというように、別々に設定することができる。
【００２８】
図３は、上記のように、パラメータテーブルから選択された画質パラメータと音質パラメータとを用いる録画動作をまとめたフローチャートを示している。まず、開始（ステップＳ１１）されると、マイクロコンピュータ２４は、ステップＳ１２で、番組の録画媒体として光ディスク１７が選択設定されているか否かを判別する。
【００２９】
光ディスク１７が選択設定されていると判断された場合（ＹＥＳ）、マイクロコンピュータ２４は、ステップＳ１３で、光ディスク１７への録画に対して選定されている画質パラメータと音質パラメータとの組の組名称から、パラメータテーブルを参照してその組の組番号を取得する。
【００３０】
また、ステップＳ１２で光ディスク１７が選択設定されていないと判断された場合（ＮＯ）、マイクロコンピュータ２４は、ステップＳ１４で、ハードディスク１８への録画に対して選定されている画質パラメータと音質パラメータとの組の組名称から、パラメータテーブルを参照してその組の組番号を取得する。
【００３１】
そして、ステップＳ１３またはステップＳ１４の後、マイクロコンピュータ２４は、ステップＳ１５で、取得した組番号の画質パラメータを映像圧縮装置１２にセットし、ステップＳ１６で、取得した組番号の音質パラメータを音声圧縮装置１４にセットする。
【００３２】
その後、マイクロコンピュータ２４は、ステップＳ１７で、映像圧縮装置１２及び音声圧縮装置１４等を駆動して番組の録画処理を実行させる。このとき、映像圧縮装置１２及び音声圧縮装置１４は、セットされた画質パラメータ及び音質パラメータに基づいて圧縮処理を行ない、ここに、ユーザの設定したパラメータでの圧縮処理が行なわれ、終了（ステップＳ１８）される。
【００３３】
上記した実施の形態によれば、予め、ユーザが画質パラメータと音質パラメータとの組み合わせをパラメータテーブルとして複数組登録しておき、録画を行なう際にはパラメータテーブルから必要な組み合わせを選択するだけでよいようにしたので、簡易な操作で、録画する番組内容に応じた画質パラメータと音質パラメータとの設定が可能となり、ユーザにとっての取り扱いを便利にすることができる。
【００３４】
なお、この発明は上記した実施の形態に限定されるものではなく、この外その要旨を逸脱しない範囲で種々変形して実施することができる。
【００３５】
【発明の効果】
以上詳述したようにこの発明によれば、簡易な操作で、録画する番組内容に応じた画質パラメータと音質パラメータとの設定を可能とし、ユーザにとっての取り扱いを便利にするようにした極めて良好な情報記録装置及び情報記録方法を提供することができる。
【図面の簡単な説明】
【図１】この発明の実施の形態を示すもので、録画再生装置を説明するために示すブロック構成図。
【図２】同実施の形態におけるパラメータテーブルの一例を説明するために示す図。
【図３】同実施の形態における録画処理動作を説明するために示すフローチャート。
【符号の説明】
１１…映像入力回路、
１２…映像圧縮装置、
１３…音声入力回路、
１４…音声圧縮装置、
１５…合成装置、
１６…データ転送回路、
１７…光ディスク、
１８…ハードディスク、
１９…分離装置、
２０…映像復号装置、
２１…映像出力回路、
２２…音声復号装置、
２３…音声出力回路、
２４…マイクロコンピュータ、
２５…キーボード、
２６…リモートコントローラ、
２７…メモリ。
【図１】
0003998459.tif 000002
【図２】
0003998459.tif 000003
【図３】
0003998459.tif 000004